(57)【要約】【課題】店舗において障害が発生している室内ユニットを容易に確認することができる冷凍装置の集中管理装置を提供する。【解決手段】室内ユニット（ショーケースＡ１、Ａ２）から収集したデータを管理するデータ管理手段と、室内ユニットと店舗照明ＬＧ１、ＬＧ２との位置関係に関する情報を管理する照明位置情報管理手段と、店舗照明を制御する照明制御手段とを備え、この照明制御手段は、室内ユニットから収集したデータに警報に関する情報が含まれている場合、当該室内ユニットと位置的に対応する店舗照明の点灯状態を変更し、若しくは、当該店舗照明を消灯する。【選択図】図１
2013073908.tif 000002
【特許請求の範囲】
【請求項１】
店舗に設置された室内ユニットと室外ユニットから成る冷凍装置の運転状態を一括して管理する集中管理装置において、
前記室内ユニットから収集したデータを管理するデータ管理手段と、
前記室内ユニットと店舗照明との位置関係に関する情報を管理する照明位置情報管理手段と、
前記店舗照明を制御する照明制御手段とを備え、
該照明制御手段は、前記室内ユニットから収集したデータに警報に関する情報が含まれている場合、当該室内ユニットと位置的に対応する前記店舗照明の点灯状態を変更し、若しくは、当該店舗照明を消灯することを特徴とする冷凍装置の集中管理装置。
【請求項２】
同一配管で前記室外ユニットに接続された前記室内ユニットの配管グループを管理する配管グループ管理手段を備え、
前記照明制御手段は、前記室内ユニットから収集したデータに警報に関する情報が含まれている場合、当該室内ユニットが属する前記配管グループの室内ユニットと位置的に対応する全ての前記店舗照明の点灯状態を変更し、若しくは、当該全ての店舗照明を消灯することを特徴とする請求項１に記載の冷凍装置の集中管理装置。
【請求項３】
前記照明制御手段は、前記警報が同一の配管グループ内の他の室内ユニットに影響を及ぼす警報ではない場合、当該室内ユニットと位置的に対応する前記店舗照明の点灯状態のみを変更し、若しくは、当該店舗照明のみを消灯すると共に、
前記警報が同一の配管グループ内の他の室内ユニットにも影響を及ぼす可能性のある警報である場合に、当該室内ユニットが属する前記配管グループの室内ユニットと位置的に対応する全ての前記店舗照明の点灯状態を変更し、若しくは、当該全ての店舗照明を消灯することを特徴とする請求項２に記載の冷凍装置の集中管理装置。
【請求項４】
前記照明制御手段は、前記収集したデータに警報に関する情報が含まれている室内ユニットと同一配管グループの他の室内ユニットと位置的に対応する前記店舗照明の点灯状態を変更する場合、前記収集したデータに警報に関する情報が含まれている室内ユニットと位置的に対応する前記店舗照明の点灯状態とは区別できるかたちで変更することを特徴とする請求項２又は請求項３に記載の冷凍装置の集中管理装置。
【請求項５】
前記室内ユニットから収集したデータに警報に関する情報が含まれている場合、当該店舗の店員にのみ把握可能な通知手段にて警報を通知する警報通知手段を備えたことを特徴とする請求項１乃至請求項４のうちの何れかに記載の冷凍装置の集中管理装置。
【請求項６】
前記冷凍装置はショーケース冷却装置であり、前記室外ユニットは冷凍機、前記室内ユニットは当該冷凍機に配管接続されたショーケースであることを特徴とする請求項１乃至請求項５のうちの何れかに記載の冷凍装置の集中管理装置。
【請求項７】
前記冷凍装置は空気調和機であり、前記室外ユニットは室外機、前記室内ユニットは当該室外機に配管接続された室内機であることを特徴とする請求項１乃至請求項５のうちの何れかに記載の冷凍装置の集中管理装置。
【発明の詳細な説明】
【技術分野】
【０００１】
本発明は、スーパーマーケットやコンビニエンスストア等の店舗に設置されたショーケースの冷却装置や空気調和機等の冷凍装置の運転状態を一括して管理するための集中管理装置に関するものである。
【背景技術】
【０００２】
従来よりスーパーマーケットやコンビニエンスストア等の店舗には、複数台のショーケース（室内ユニット）が設置されているが、近年ではこれらショーケースのコントローラと統合管理コントローラや遠隔管理システムをネットワークで接続し、各ショーケースの運転状態を一括して管理する集中管理装置が使用されるようになってきている（特許文献１、特許文献２参照）。
【０００３】
この場合、各ショーケースには冷凍機（室外ユニット）から冷媒が分配供給されるが、設定温度や陳列物等の特性において関連性のあるショーケースは、同一の冷凍機に配管接続され、これら複数台のショーケースと冷凍機とで配管グループ（群）が構成される。そして、上記統合管理コントローラは店舗に設置され、これらショーケースや冷凍機からデータを収集する。収集したデータはこの統合管理コントローラにおいても表示可能とされるが、統合管理コントローラは、収集したデータをＬＡＮ等のネットワークを介して管理会社の遠隔管理システムに送信する。
【０００４】
遠隔管理システムでは、受信したデータを元に各ショーケースや冷凍機の運転状態を監視することができるように構成されている。また、遠隔管理システムで設定された設定温度等のデータは統合管理コントローラに送信され、統合管理コントローラを経由して各ショーケース等に送信される。このデータは統合管理コントローラにおいても設定し、各ショーケース等に送信可能とされる。また、各ショーケース等において障害（故障）が発生した場合には、警報に関するデータが統合管理コントローラや遠隔管理システムに送信される。
【０００５】
これらによって複数台のショーケースを一括管理可能とされている。また、店舗の統合管理コントローラは、店舗の空気調和機や店舗照明ともネットワークで接続され、これら空気調和機や店舗照明の制御も行えるように構成されたものも開発されている。
【先行技術文献】
【特許文献】
【０００６】
【特許文献１】特開平４−３６３５６９号公報
【特許文献２】特開２００１−１９４０４４号公報
【発明の概要】
【発明が解決しようとする課題】
【０００７】
ところで、例えば前記特許文献１では、ショーケースにおいて障害（異常）が発生した場合、管理センター内の監視装置においてのみ通知されることになるので、管理センター内で監視している作業者以外には、障害の発生が伝わらないという問題がある。
【０００８】
また、特許文献１では、監視中のショーケースを順番に切換ながら各ショーケースの計測データを監視装置上に表示し、ショーケースに障害が発生した場合には監視装置上のＬＥＤを点滅させ、且つ、ブザーを鳴動させて障害発生を通知しているが、このような従来のシステムでは監視装置には障害が発生したショーケース名や警報名が表示される程度であったため、ショーケースに障害が発生して警報が生じた場合に、実際の店舗内のどのショーケースに警報が生じているか分かり難い。
【０００９】
更に、前述したように同一の冷凍機に配管接続されて冷媒供給を受けるショーケースは、運転状態に関連性を持つことが多い。そのため、何れかのショーケースに警報が生じた場合には、同一配管グループ内の他のショーケースにおいても何らかの障害が発生している可能性が高くなるが、従来のシステムでは警報が発生したショーケース名のみ通知されるものであったため、係る配管グループ毎の障害（故障）の確認が容易にできないという問題もあった。そして、このことは店舗に設置された空気調和機の複数台の室内機（室内ユニット）と、それらが配管接続された室外機（室外ユニット）においても同様であった。
【００１０】
本発明は、係る従来の技術的課題を解決するために成されたものであり、店舗において障害が発生している室内ユニットを容易に確認することができる冷凍装置の集中管理装置を提供するものである。
【課題を解決するための手段】
【００１１】
上記課題を解決するために、本発明は、店舗に設置された室内ユニットと室外ユニットから成る冷凍装置の運転状態を一括して管理する集中管理装置において、室内ユニットから収集したデータを管理するデータ管理手段と、室内ユニットと店舗照明との位置関係に関する情報を管理する照明位置情報管理手段と、店舗照明を制御する照明制御手段とを備え、この照明制御手段は、室内ユニットから収集したデータに警報に関する情報が含まれている場合、当該室内ユニットと位置的に対応する店舗照明の点灯状態を変更し、若しくは、当該店舗照明を消灯することを特徴とする。
【００１２】
請求項２の発明の冷凍装置の集中管理装置は、上記において同一配管で室外ユニットに接続された室内ユニットの配管グループを管理する配管グループ管理手段を備え、照明制御手段は、室内ユニットから収集したデータに警報に関する情報が含まれている場合、当該室内ユニットが属する配管グループの室内ユニットと位置的に対応する全ての店舗照明の点灯状態を変更し、若しくは、当該全ての店舗照明を消灯することを特徴とする。
【００１３】
請求項３の発明の冷凍装置の集中管理装置は、上記において照明制御手段は、警報が同一の配管グループ内の他の室内ユニットに影響を及ぼす警報ではない場合、当該室内ユニットと位置的に対応する店舗照明の点灯状態のみを変更し、若しくは、当該店舗照明のみを消灯すると共に、警報が同一の配管グループ内の他の室内ユニットにも影響を及ぼす可能性のある警報である場合に、当該室内ユニットが属する配管グループの室内ユニットと位置的に対応する全ての店舗照明の点灯状態を変更し、若しくは、当該全ての店舗照明を消灯することを特徴とする。
【００１４】
請求項４の発明の冷凍装置の集中管理装置は、請求項２又は請求項３の発明において照明制御手段は、収集したデータに警報に関する情報が含まれている室内ユニットと同一配管グループの他の室内ユニットと位置的に対応する店舗照明の点灯状態を変更する場合、収集したデータに警報に関する情報が含まれている室内ユニットと位置的に対応する店舗照明の点灯状態とは区別できるかたちで変更することを特徴とする。
【００１５】
請求項５の発明の冷凍装置の集中管理装置は、上記各発明において室内ユニットから収集したデータに警報に関する情報が含まれている場合、当該店舗の店員にのみ把握可能な通知手段にて警報を通知する警報通知手段を備えたことを特徴とする。
【００１６】
請求項６の発明の冷凍装置の集中管理装置は、上記各発明において冷凍装置はショーケース冷却装置であり、室外ユニットは冷凍機、室内ユニットは当該冷凍機に配管接続されたショーケースであることを特徴とする。
【００１７】
請求項７の発明の冷凍装置の集中管理装置は、請求項１乃至請求項５の発明において冷凍装置は空気調和機であり、室外ユニットは室外機、室内ユニットは当該室外機に配管接続された室内機であることを特徴とする。
【発明の効果】
【００１８】
本発明によれば、店舗に設置された室内ユニットと室外ユニットから成る冷凍装置の運転状態を一括して管理する集中管理装置において、室内ユニットから収集したデータを管理するデータ管理手段と、室内ユニットと店舗照明との位置関係に関する情報を管理する照明位置情報管理手段と、店舗照明を制御する照明制御手段とを備え、この照明制御手段は、室内ユニットから収集したデータに警報に関する情報が含まれている場合、当該室内ユニットと位置的に対応する店舗照明の点灯状態を変更し、若しくは、当該店舗照明を消灯するので、例えばモニタの状態表示を常時監視していなくとも、比較的広範囲で状態変化を確認できる店舗照明の点灯状態の変化、若しくは、消灯によって、室内ユニットに障害が発生していることを容易に確認することが可能となる。この場合、点灯状態が変化、若しくは、消灯する店舗照明は、位置的に室内ユニットと対応しているので、障害が発生している室内ユニットの識別も容易となる。
【００１９】
これにより、例えば請求項６の発明の如きショーケース冷却装置における室内ユニットであるショーケースや、請求項７の如き空気調和機における室内ユニットである室内機の運転状態を監視する際に、ショーケースや室内機に障害が発生していることを極めて容易に確認することができるようになる。
【００２０】
また、請求項２の発明によれば、上記に加えて同一配管で冷凍機に接続された室内ユニットの配管グループを管理する配管グループ管理手段を備え、照明制御手段は、室内ユニットから収集したデータに警報に関する情報が含まれている場合、当該室内ユニットが属する配管グループの室内ユニットと位置的に対応する全ての店舗照明の点灯状態を変更し、若しくは、当該全ての店舗照明を消灯するので、障害が発生した室内ユニットと同一グループであって、影響を受けやすい室内ユニットの位置も店舗照明の点灯状態、若しくは、消灯から容易に確認することができる。
【００２１】
特にこの場合、請求項３の発明の如く照明制御手段が、警報が同一の配管グループ内の他の室内ユニットに影響を及ぼす警報ではない場合、当該室内ユニットと位置的に対応する店舗照明の点灯状態のみを変更し、若しくは、当該店舗照明のみを消灯すると共に、警報が同一の配管グループ内の他の室内ユニットにも影響を及ぼす可能性のある警報である場合に、当該室内ユニットが属する配管グループの室内ユニットと位置的に対応する全ての店舗照明の点灯状態を変更し、若しくは、当該全ての店舗照明を消灯するようにすれば、他の室内ユニットに影響を及ぼす可能性のある警報であった場合のみ、同一配管グループの室内ユニットと位置的に対応する全ての店舗照明の点灯状態を変更、若しくは、消灯することができるようになり、配管グループ内でも影響を受けない警報については、配管グループ内全室内ユニットに対応する店舗照明の変更、消灯は行われない。これにより、無用な混乱を回避することが可能となる。
【００２２】
更に、請求項４の発明の如く照明制御手段が、収集したデータに警報に関する情報が含まれている室内ユニットと同一配管グループの他の室内ユニットと位置的に対応する店舗照明の点灯状態を変更する場合、収集したデータに警報に関する情報が含まれている室内ユニットと位置的に対応する店舗照明の点灯状態とは区別できるかたちで変更するようにすれば、実際に警報が発生している室内ユニットと同一配管グループの他の室内ユニットとを一目で区別することが可能となり、確認が更に容易となる。
【００２３】
また、請求項５の発明の如く室内ユニットから収集したデータに警報に関する情報が含まれている場合、当該店舗の店員にのみ把握可能な通知手段にて警報を通知する警報通知手段を備えれば、警報発生自体は警報通知手段で店員に通知し、発生箇所、即ち、どの室内ユニットで警報が発生しているかは店舗照明で確認できることになり、利便性が著しく向上するものである。
【図面の簡単な説明】
【００２４】
【図１】本発明を適用した一実施例の集中管理装置の構成図である。
【図２】図１の集中管理装置の遠隔管理システムで表示される店舗レイアウト画面の一例を示す図である。
【図３】本発明を適用した一実施例の店舗におけるショーケースと店内照明の空間的位置関係を示す図である。
【図４】図１の集中管理装置の各データベースに構成された同一配管にあるショーケースを管理するための配管グループデータベーステーブルの一例を示す図である。
【図５】図１の集中管理装置の各データベースに構成された表示グループと背景画像の対応関係を管理するための背景画像データベーステーブルの一例を示す図である。
【図６】図１の集中管理装置の各データベースに構成された表示グループと表示項目の対応関係を管理するための表示項目データベーステーブルの一例を示す図である。
【図７】図１の集中管理装置の各データベースに構成されたショーケースと店舗照明の対応関係を管理するための店舗照明位置データベーステーブルの一例を示す図である。
【図８】図１の集中管理装置の各データベースに構成されたショーケースの警報種別と他のショーケースに影響を及ぼす可能性の対応関係を管理するための警報種別データベーステーブルの一例を示す図である。
【図９】図１の集中管理装置の遠隔管理システムの店舗レイアウト画面表示に関する配管グループ表示動作を説明するフローチャートである。
【図１０】図１の集中管理装置の統合管理コントローラの警報発生時の照明制御動作を説明するフローチャートである。
【図１１】図１の集中管理装置の遠隔管理システムの店舗レイアウト画面表示に関する警報発生時の表示動作を説明するフローチャートである。
【発明を実施するための形態】
【００２５】
以下、本発明の実施の形態について、詳細に説明する。実施例の集中管理装置１は、スーパーマーケットやコンビニエンスストア等の店舗ＳＴに設置された室内ユニットとしてのショーケースＡ１、Ａ２・・や室外ユニットとしての冷凍機Ｒから構成される冷凍装置の実施例としてのショーケース冷却装置Ｆの他、店舗ＳＴの空気調和機や店内を照明する店舗照明（グループ）ＬＧ１、ＬＧ２・・の制御を統合して実行する店舗統合管理システムと称されるものである。
【００２６】
図１において、店舗ＳＴの店内（売場内）には複数台のショーケース（室内ユニット）Ａ１、Ａ２（図１では二台のみ示す）が設置されており、更にこれらショーケースＡ１、Ａ２に冷媒を供給する冷凍機（室外ユニット）Ｒが店外、或いは、店舗の機械室等に設置されている。冷凍機Ｒは冷媒を圧縮して吐出するコンプレッサ２や、該コンプレッサ２から吐出された高温高圧の冷媒を空冷等により凝縮するコンデンサ３等を備えている。ショーケースＡ１、Ａ２には図示しない蒸発器や減圧装置が設けられ、それらは冷媒配管により冷凍機Ｒに接続され、周知の冷媒回路を構成する。そして、この蒸発器で冷媒が蒸発することで、ショーケースＡ１、Ａ２の陳列室内を所定の温度に冷却するものである。
【００２７】
冷凍機Ｒは実際には更に複数台設置されており、各冷凍機に同一の用途や温度毎に分けられたショーケースが複数接続される。そして、これら冷凍機とそれに接続された複数台のショーケースとで後述する配管グループＰＧ１・・が構成される。
【００２８】
これらショーケースＡ１、Ａ２や冷凍機Ｒ、店舗照明ＬＧ１、ＬＧ２は、汎用機器コントローラ４をそれぞれ有しており、これら汎用機器コントローラ４により運転や点／消灯が制御される。各汎用機器コントローラ４は通信線により統合管理コントローラ６に接続され、これらにより店舗内システムのネットワークが構成される。
【００２９】
この統合管理コントローラ６は店舗ＳＴに設置されており、店舗ローカルデータベース７を有している。統合管理コントローラ６は更にＬＡＮ等のネットワーク１１を介して外部の遠隔管理システム８に接続されている。この遠隔管理システム８は、例えば複数の店舗に設置された各機器の管理を行う管理センターに設置されたもので、センターデータベース９を有している。
【００３０】
これら遠隔管理システム８及び統合管理コントローラ６では各ショーケースＡ１、Ａ２や冷凍機Ｒ、店舗照明ＬＧ１、ＬＧ２の制御を行うための各種設定値等（温度設定、警報設定等）のデータを入力可能とされており、これらのデータはセンターデータベース９及び店舗ローカルデータベース７に格納されると共に、遠隔管理システム８で設定されたデータはネットワーク１１を介して統合管理コントローラ６に送られ、この統合管理コントローラ６を介して各ショーケースＡ１、Ａ２や冷凍機Ｒ、店舗照明ＬＧ１、ＬＧ２の汎用機器コントローラ４にそれぞれ配信される。尚、統合管理コントローラ６で入力されたデータは上記店舗ＳＴ内の各機器に同様に配信され、遠隔管理システム８にもネットワーク１１を介して通知される。
【００３１】
そして、店舗ＳＴの各汎用機器コントローラ４は受信したデータに基づいて各ショーケースＡ１、Ａ２、冷凍機Ｒの運転を制御し、店舗照明ＬＧ１、ＬＧ２の点／消灯を制御する。更に、統合管理コントローラ６は定期的に各汎用機器コントローラ４にポーリングを行い、各汎用機器コントローラ４は、これに応えて各ショーケースＡ１、Ａ２や冷凍機Ｒの運転状態に関するデータ（計測データ、警報データ）、店舗照明ＬＧ１、ＬＧ２の点灯状態に関するデータを統合管理コントローラ６に送信する。統合管理コントローラ６はこのようにして収集したデータを店舗ローカルデータベース７に保存すると共に、遠隔管理システム８からの要求により、収集したデータをネットワーク１１を介して遠隔管理システム８に送信する。遠隔管理システム８はこれをセンターデータベース９に保存する。
【００３２】
尚、各ショーケースＡ１、Ａ２等で障害が生じて警報が発生した場合、定期的なポーリングによらず、警報が発生した時点で汎用機器コントローラ４から統合管理コントローラ６に警報データが通知される。統合管理コントローラ６では簡易なモニタ（表示手段）によりこれらのデータを表示することができるので、これにより、統合管理コントローラ６は店舗ＳＴ内の各機器の状態監視と制御を実行し、複数の機器を一括して管理することができるように構成されている。
【００３３】
また、遠隔管理システム８も統合管理コントローラ６を管理し、任意の機器の現在の計測データや警報データを統合管理コントローラ６に要求して収集し、モニタ画面（表示手段）に表示することができる。これにより、遠隔管理システム８も統合管理コントローラ６を介して店舗ＳＴ内の各機器の状態監視と制御を実行し、複数の機器を一括して管理することができるように構成されている。
【００３４】
次に、係る遠隔管理システム８と統合管理コントローラ６における実際の監視動作について図２以降を参照して説明する。尚、実施例ではこれら遠隔管理システム８とセンターデータベース９、統合管理コントローラ６と店舗ローカルデータベース７がこの集中管理装置１における店舗レイアウト情報管理手段、データ管理手段、配管グループ管理手段、照明位置情報管理手段、表示制御手段、照明制御手段を構成する。
【００３５】
図２は遠隔管理システム８のモニタ画面に表示される店舗レイアウト画面を示している。遠隔管理システム８は自らが有するモニタ画面に図２の如く店舗レイアウトを表示する。この店舗レイアウト画面は、遠隔管理システム８のセンターデータベース９に格納された背景画像データベーステーブル（店舗レイアウト情報管理手段を構成する）に基づいて表示される。この背景画像データベーステーブルには、図５に示す如く表示グループＭＧ１、ＭＧ２に対応して店舗１と店舗２の店舗レイアウトの背景画像データｊｐｇが格納され、管理されている。例えば、確認したい店舗ＳＴが店舗１の場合には、店舗１の背景画像が選択されてモニタ画面に背景として表示される。
【００３６】
更に、この背景画像上には各ショーケースＡ１、Ａ２の計測データが併せて表示される。この場合の対応関係は、図６の表示項目データベーステーブル（表示制御手段を構成する）に基づいて確認される。即ち、この表示項目データベーステーブルには、表示グループ名ＭＧ１と、ショーケース名Ａ１、Ａ２と計測データ名（庫内温度）から成る表示項目と、表示座標（Ｘ，Ｙ）が格納され、管理されており、背景画像が店舗１であれば、表示グループＭＧ１に属するショーケースＡ１、Ａ２の庫内温度（統合管理コントローラ６から送信された計測データ）が、それぞれの表示座標上に表示されることになる。実施例では図２に示すように吹出形式で各ショーケースの庫内温度（計測データ）を表示する（−３５℃等。尚、実施例のショーケースの庫内温度の設定は−３５℃であるものとする）。
【００３７】
尚、この表示項目の表示座標（背景画像上の表示位置）はモニタ画面上においてマウスのドラッグ・ドロップ等により、手動で決定しても良いが、ＣＡＤ等で作成したレイアウト図から自動的に設定できるようにしても良い。
【００３８】
また、遠隔管理システム８のセンターデータベース９と統合管理コントローラ６の店舗ローカルデータベース７には、図４に示す配管グループデータベーステーブル（配管グループ管理手段を構成する）が格納されている。この配管グループデータベーステーブルには、同一の冷凍機Ｒに配管接続されたショーケースが一つの配管グループとして管理されており、実施例の場合、ショーケースＡ１〜Ａ４（例えば冷凍食品用）は配管グループＰＧ１、ショーケースＡ５〜Ａ８（例えば日配品用）は配管グループＰＧ２、ショーケースＡ９、Ａ１０（例えば飲料用）は配管グループＰＧ３とされている。
【００３９】
また、遠隔管理システム８のセンターデータベース９と統合管理コントローラ６の店舗ローカルデータベース７には、図７に示す店舗照明位置データベーステーブル（照明位置情報管理手段を構成する）が格納されている。この店舗照明位置データベーステーブルには、図３に示すようにショーケースＡ１〜Ａ５（実際にはＡ１０まである）とそれらの直上（空間的位置関係）において対応する店舗照明ＬＧ１〜ＬＧ５の対応関係が管理されており、実施例ではショーケースＡ１の直上に店舗照明ＬＧ１が、ショーケースＡ２の直上に店舗照明ＬＧ２が、ショーケースＡ３の直上に店舗照明ＬＧ３が、ショーケースＡ４の直上に店舗照明ＬＧ４が、ショーケースＡ５の直上に店舗照明ＬＧ５がそれぞれ対応している。
【００４０】
更に、遠隔管理システム８のセンターデータベース９と統合管理コントローラ６の店舗ローカルデータベース７には、図８に示す警報種別データベーステーブルが格納されている。この警報種別データベーステーブルには、ショーケースの警報種別と当該警報が同一配管グループ内の他のショーケースにも影響を及ぼす可能性の警報（障害）であるか否かの対応関係が格納されており、実施例では高温警報と低温警報は可能性「有」、通信異常、センサ断線、センサ短絡は可能性「無」で登録されている。
【００４１】
（１）遠隔管理システムによる配管グループの表示動作
次に、遠隔管理システム８による配管グループの表示動作について図９のフローチャートを参照しながら説明する。遠隔管理システム８は、マウスやキー入力によって特定の配管グループＰＧ１〜ＰＧ３が選択された場合、図９のステップＳ１で表示すべき配管グループを取得し、ステップＳ２で当該ショーケースが表示すべき配管グループのショーケースか否か判断し、当該配管グループのショーケースであればステップＳ３に進んで計測データ（表示項目）をモニタ画面上に表示する。また、ステップＳ２で表示すべき配管グループのショーケースでは無い場合、ステップＳ５で計測データを非表示とする。そして、ステップＳ４で全ての計測データについて確認したか否か確認し、確認していなければステップＳ１に戻り、確認していれば終了する。
【００４２】
これにより、遠隔管理システム８のモニタ画面の店舗レイアウト上には、選択した配管グループ、例えば配管グループＰＧ１の場合には、それに属するショーケースＡ１〜Ａ４の計測データのみが表示されるようになる。これにより、運転状態に関連性をもつ同一配管グループＰＧ１内のショーケースＡ１〜Ａ４の運転状態を極めて容易に確認することが可能となる。
【００４３】
尚、実施例では該当するショーケースＡ１〜Ａ４の計測データのみ表示するようにしたが、図２のモニタ画面上の左側に示すように、当該選択された配管グループ（例えばＰＧ１）に属するショーケースＡ１〜Ａ４の計測データの表示状態を変更するようにしても良い。図２のモニタ画面上では計測データの表示を点滅ブリンクさせている。また、それらを他の計測データとは区別できる程に強調して表示しても良い。更に、それらに併せて当該ショーケースＡ１〜Ａ４が設置された位置の店舗レイアウト画面の背景表示状態を変更しても良い。実施例では遠隔管理システム８は、図２のモニタ画面上の左側の囲い線で示す範囲の背景色を変更する。これにより、同一配管グループＰＧ１内のショーケースＡ１〜Ａ４の実際の店舗内における位置を確認しながらそれらの計測データを的確に確認することができるようになる。
【００４４】
次に、各汎用機器コントローラ４から収集したデータ中に警報データが含まれていた場合の動作について説明する。図１０は統合管理コントローラ６の警報発生時の照明制御動作を説明するフローチャート、図１１は遠隔管理システム８の警報発生時の表示動作を説明するフローチャートである。
【００４５】
（２）統合管理コントローラの警報発生時の照明制御動作
店舗内システムを構成する統合管理コントローラ６は、図１０のステップＳ１１で店舗ＳＴに設置されたショーケース（最初にＡ１）から前述の如くデータ（計測データ、警報データ）を収集する。次に、ステップＳ１２で該ショーケースＡ１に障害が発生し、収集したデータ中に警報データが含まれているか否かを判断し、障害が発生していなければステップＳ１５に進み、今度は同一配管グループＰＧ１内の他のショーケースＡ２〜Ａ４に障害が発生して警報データが含まれているか否か判断し、障害が発生していなければステップＳ１８に進んで対応する店舗照明ＬＧ１の点灯状態を通常状態とする。そして、ステップＳ１４に進み、全てのショーケースのデータを収集していなければステップＳ１１に戻る。
【００４６】
一方、ショーケースＡ１に障害が発生しており、警報データが含まれている場合にはステップＳ１２からステップＳ１３に進み、当該ショーケースＡ１の直上で対応する店舗照明ＬＧ１の点灯状態を障害通知状態に変更する。この障害通知状態とは、店舗照明ＬＧ１を消灯し、或いは、点滅させ、若しくは、その照度を変更し、又は、発光色を変更することを意味する。
【００４７】
また、ステップＳ１２で当該ショーケースＡ１に障害が発生していないが、ステップＳ１５で同一配管グループＰＧ１内の他のショーケースに障害が発生している場合、ステップＳ１５からステップＳ１６に進んで、当該他のショーケースで発生している障害（警報）が他のショーケースに影響を及ぼすものか否か判断する。この判断は図８の警報種別データベーステーブルに基づいて行われ、例えば警報の種類が高温警報であった場合には、ステップＳ１７に進んで当該ショーケースＡ１の直上で対応する店舗照明ＬＧ１の点灯状態を配管グループ通知状態に変更する。この配管グループ通知状態は、上記障害通知状態と同一でも良く、区別した状態でも良い。例えば、区別する場合には、点滅の間隔や、照度、発光色を異なるものとする。そのように区別すれば、実際に警報が発生しているショーケースと同一配管グループの他のショーケースとを一目で区別することが可能となる。
【００４８】
尚、ステップＳ１６で判断した他のショーケースの障害が、例えば通信異常などの他のショーケースに影響を及ぼす可能性の無い警報であった場合は、ステップＳ１６からステップＳ１８に進んで対応する店舗照明ＬＧ１の点灯状態は通常状態とする。これを設置された全てのショーケースＡ１〜Ａ１０に対して実行する。
【００４９】
即ち、何れかのショーケース（例えばＡ１）に障害が生じて警報データが送信された場合、統合管理コントローラ６は当該ショーケースＡ１の直上に対応する店舗照明ＬＧ１の点灯状態を障害通知状態に変更する。また、当該ショーケースＡ１に生じた警報（障害）が同一配管グループＰＧ１内の他のショーケースＡ２〜Ａ４にも影響を及ぼす警報であった場合は、当該同一配管グループＰＧ１内の全ての他のショーケースＡ２〜Ａ４それぞれの直上に対応する店舗照明ＬＧ２〜ＬＧ４を配管グループ通知状態に変更する。
【００５０】
これにより、統合管理コントローラ６のモニタを常時監視していなくとも、比較的広範囲で状態変化を確認することができる店舗照明の点灯状態の変化、若しくは、消灯によってショーケースに障害が発生していることを容易に確認できるようになる。この場合、点灯状態が変化、若しくは、消灯する店舗照明は、位置的にショーケースに対応しているので、障害が発生しているショーケースの識別も容易となる。
【００５１】
また、統合管理コントローラ６はショーケースに障害が生じた場合、当該ショーケースが属する配管グループのショーケースと位置的に対応する全ての店舗照明の点灯状態を変更、若しくは、消灯するので、障害が発生したショーケースと同一グループであって、影響を受けやすいショーケースの位置も店舗照明によって容易に確認できる。
【００５２】
特に、他のショーケースに影響を及ぼす可能性のある警報であった場合のみ、同一配管グループのショーケースと位置的に対応する全ての店舗照明の点灯状態を変更、若しくは、消灯するので、配管グループ内でも影響を受けない警報については、配管グループ内全ショーケースに対応する店舗照明の変更、若しくは、消灯は行われない。これにより、無用な混乱の発生を回避することができるようになる。
【００５３】
尚、統合管理コントローラ６は、店内放送等の店員にのみ把握可能な通知方法で警報が発生していることを通知することも可能である。これにより、警報発生自体は店内放送で店員に通知し、発生箇所、即ち、どのショーケースで警報が発生しているかは店舗照明で確認することができるようになる。
【００５４】
（３）遠隔管理システムの警報発生時の表示動作
一方、遠隔管理システム８は、図１１のステップＳ１９で店舗ＳＴに設置された統合管理コントローラ６から前述の如く例えばショーケースＡ１のデータ（計測データ、警報データ）を受信する。次に、ステップＳ２０で当該ショーケースＡ１に障害が発生し、収集したデータ中に警報データが含まれているか否かを判断し、障害が発生していなければステップＳ２３に進み、今度は同一配管グループＰＧ１内の他のショーケースＡ２〜Ａ４に障害が発生して警報データが含まれているか否か判断し、障害が発生していなければステップＳ２６に進んで対応するモニタ画面の店舗レイアウトの該当機器（ショーケースＡ１）の表示を通常表示状態とする。そして、ステップＳ２２に進み、全てのショーケースのデータを収集していなければステップＳ１９に戻る。
【００５５】
一方、ショーケースＡ１に例えば高温警報の障害が発生しており、警報データが含まれている場合にはステップＳ２０からステップＳ２１に進み、モニタ画面のショーケースＡ１の計測データの表示状態を図２の如く警報表示状態に変更する。この警報表示状態は図２にＡ１で示す０℃の計測データを太線でブリンク表示しているものがそれに該当するが、実際にはこの計測データの枠の色が赤色等に変更される。
【００５６】
また、ステップＳ２０で当該ショーケースＡ１に障害が発生していないが、ステップＳ２３で同一配管グループＰＧ１内の他のショーケースに障害が発生している場合、ステップＳ２３からステップＳ２４に進んで、当該他のショーケースで発生している障害（警報）が他のショーケースに影響を及ぼすものか否か判断する。この判断も図８の警報種別データベーステーブルに基づいて行われ、例えば警報の種類が高温警報であった場合には、ステップＳ２５に進んで当該ショーケースＡ１の計測データの表示状態を強調表示状態に変更する。図２ではショーケースＡ２〜Ａ４の計測データを細線でブリンク表示しているが、この表示状態がそれに該当する。この強調表示状態は、上記警報表示状態と同一でも良く、区別した状態でも良い。但し、実施例のように区別すれば、実際に警報が発生しているショーケースと同一配管グループの他のショーケースとを一目で区別することが可能となる。
【００５７】
尚、ステップＳ２４で判断した他のショーケースの障害が、例えば通信異常などの他のショーケースに影響を及ぼす可能性の無い警報であった場合は、ステップＳ２４からステップＳ２６に進んで対応するショーケースＡ１の計測データの表示状態は通常状態とする。これを設置された全てのショーケースＡ１〜Ａ１０に対して実行する。
【００５８】
即ち、何れかのショーケース（例えばＡ１）に障害が生じて警報データが送信された場合、遠隔管理システム８はモニタ画面における当該ショーケースＡ１の計測データの表示状態を警報表示状態に変更する。また、当該ショーケースＡ１に生じた警報（障害）が同一配管グループＰＧ１内の他のショーケースＡ２〜Ａ４にも影響を及ぼす警報であった場合は、当該同一配管グループＰＧ１内の全ての他のショーケースＡ２〜Ａ４それぞれの計測データの表示状態を強調表示状態に変更する。
【００５９】
併せて遠隔管理システム８は当該配管グループＰＧ１のショーケースＡ１〜Ａ４が位置する部分の店舗レイアウトの背景表示状態も変更する。実施例では遠隔管理システム８は、図２のモニタ画面上の左側の囲い線Ｃで示す範囲の背景色を変更しており、警報が生じているショーケースＡ１の属する配管グループＰＧ１内の全ショーケースＡ１〜Ａ４の実際の店舗内における位置を確認しながらそれらの計測データを的確に確認することができるようにしている。
【００６０】
このような構成としたことにより、警報が発生したショーケースと同一の配管グループ内のショーケースの運転状態に障害が発生し、或いは、発生する可能性があるか否かを遠隔管理システム８のモニタ画面において極めて容易に確認することが可能となる。
【００６１】
特に、他のショーケースに影響を及ぼす可能性のある警報であった場合のみ、同一配管グループの全てのショーケースのデータの表示状態を変更、若しくは、その配管グループのデータのみ表示することができるようになり、同一配管グループ内でも影響が生じない警報については、同一配管グループ内の全ショーケースのデータの表示状態の変更等は行われなくなる。これにより、無用な表示変更に伴う混乱も未然に回避することが可能となる。
【００６２】
更にそれに加えて該当する配管グループのショーケースが位置する部分の店舗レイアウトの背景表示状態も変更するようにすれば、警報が生じたショーケース及び配管グループの実際の店舗内における位置確認をより一層的確に行えるようになる。
【００６３】
尚、上述した実施例では冷凍装置の実施例として室内ユニットとしてのショーケースと室外ユニットとしての冷凍機から成るショーケース冷却装置Ｆの集中管理に本発明を適用したが、それに限らず、冷凍装置としては室内ユニットとして店内の天井等に複数設置される室内機と、店外に設置されて各室内機が配管接続される室外ユニットとしての室外機から成る空気調和機にも本発明は有効である。
【００６４】
その場合、図１のＦは空気調和機、Ａ１、Ａ２は室内機となり、Ｒは室外機となる。また、室内機と位置的に対応する店舗照明ＬＧ１、ＬＧ２としては、当該室内機に隣接して店内の天井等に取り付けられた店舗照明が採用されることになる。
【符号の説明】
【００６５】
１  集中管理装置
４  汎用機器コントローラ
６  統合管理コントローラ
８  遠隔管理システム
Ａ１〜Ａ１０  ショーケース（室内ユニット）
Ｆ  ショーケース冷却装置（冷凍装置）
ＬＧ１〜ＬＧ５  店舗照明
Ｒ  冷凍機（室外ユニット）
ＳＴ  店舗
【図１】
2013073908.tif 000003
【図２】
2013073908.tif 000004
【図３】
2013073908.tif 000005
【図４】
2013073908.tif 000006
【図５】
2013073908.tif 000007
【図６】
2013073908.tif 000008
【図７】
2013073908.tif 000009
【図８】
2013073908.tif 000010
【図９】
2013073908.tif 000011
【図１０】
2013073908.tif 000012
【図１１】
2013073908.tif 000013